(57)【要約】      （修正有）【課題】バターやチーズ等の固形乳製品を所定寸法の直方体形状に切り取るための固形乳製品用カッターを提供する。【解決手段】ハンドル部３の下端に固形乳製品のコーナ部をＬ形に切断する第１刃板部４と第２刃板部５を設け、切断分離された直方体形状のカット片を両刃板部の間の保持空間６に保持させるように構成されており、ハンドル部３に沿って摺動自在なスライダ２の下端に保持空間に臨むエジェクタ１１を設け、スライダを下向きに摺動することにより、エジェクタを保持空間の内部に進入させるように構成している。【選択図】図４
0003234356.tif 000002
【実用新案登録請求の範囲】
【請求項１】
固形乳製品における第１側面と第２側面が交差するコーナ部を切り取るカッターであり、ハンドル部(3)の下端にそれぞれ第１側面と第２側面に平行な第１刃板部(4)と第２刃板部(5)を設けると共に、両刃板部の間に保持空間(6)を形成し、両刃板部を前記コーナ部に食い込ませることによりＬ形に切断し、切断分離された直方体形状のカット片(Dd)を前記保持空間(6)に保持させるように構成されており、
前記ハンドル部(3)は、該ハンドル部に沿って摺動自在なスライダ(2)を設けると共に、該スライダの下端に前記保持空間に臨むエジェクタ(11)を設けており、前記スライダを下向きに摺動することにより、前記エジェクタを前記保持空間の内部に進入させるように構成して成ることを特徴とする固形乳製品用カッター。
【請求項２】
前記ハンドル部(3)は、上下方向に延びる装入通路(10)を形成し、該装入通路に前記スライダ(2)を摺動自在に装入しており、
前記スライダを上向きに摺動することにより前記エジェクタを保持空間に臨ませた格納姿勢(P1)と、前記スライダを下向きに摺動することにより前記エジェクタを保持空間に進入させた押出姿勢(P2)に関して、
前記ハンドル部(3)とスライダ(2)の相互に、前記格納姿勢(P1)とされたスライダを保持する保持手段(16)と、前記押出姿勢(P2)とされたスライダの下動を阻止するストッパ手段(13)を設けて成ることを特徴とする請求項１に記載の固形乳製品用カッター。
【請求項３】
第１刃板部(4)と第２刃板部(5)の少なくとも一方は、側縁部を波形としたコテ(9)を構成して成ることを特徴とする請求項１又は２に記載の固形乳製品用カッター。
【考案の詳細な説明】
【技術分野】
【０００１】
本考案は、バターやチーズ等の固形乳製品を所定寸法の直方体形状に切り取るための固形乳製品用カッターに関する。
【背景技術】
【０００２】
例えば、バターは、直方体形状の小片に小分けされた状態で販売されているものや、大きいブロック形態として販売されているものがある。そこで、後者の場合、ユーザは、家庭において、バターナイフを使用することによりブロックから所定量のバターを切り取り、トーストやパン等の食材に塗り付けて食しているのが一般的である。
【０００３】
この点に関して、ブロック形態のバターから所定量のバターを切り取る際、小分け販売されているバターと同様の直方体形状の小片を切り取り可能としたカッターを提供することが望ましいところ、未だ提供されていないのが現状である。
【先行技術文献】
【特許文献】
【０００４】
【特許文献１】実開平７−３３５９２号公報
【考案の概要】
【考案が解決しようとする課題】
【０００５】
特許文献１は、豆腐用カッターに関して、第１刃板部と第２刃板部をＬ形に配設し、両刃板部を豆腐のコーナ部に食い込ませることによりＬ形に切断し、直方体形状のカット片を切断分離させる構成としたものを提案している。
【０００６】
そこで、ブロック形態の豆腐から所望の大きさの小片を切断分離する特許文献１のカッターは、これをバター用カッターとして応用すれば、同様の方法で、ブロック形態のバターから所望の大きさとされた直方体形状のカット片を切断分離するためのカッターを提供することが可能となる。
【０００７】
しかしながら、本考案者が知得したところによれば、単に豆腐用カッターをバター用カッターとして使用した場合は、切断されたバターのカット片が前記第１刃板部及び第２刃板部に付着し、該刃板部から容易に分離することができないという問題があり、更には、その他の種々の問題がある。
【０００８】
本考案は、上記課題を解決した乳製品用カッターを提供するものである。
【課題を解決するための手段】
【０００９】
そこで、本考案が手段として構成したところは、固形乳製品における第１側面と第２側面が交差するコーナ部を切り取るカッターであり、ハンドル部の下端にそれぞれ第１側面と第２側面に平行な第１刃板部と第２刃板部を設けると共に、両刃板部の間に保持空間を形成し、両刃板部を前記コーナ部に食い込ませることによりＬ形に切断し、切断分離された直方体形状のカット片を前記保持空間に保持させるように構成されており、前記ハンドル部は、該ハンドル部に沿って摺動自在なスライダを設けると共に、該スライダの下端に前記保持空間に臨むエジェクタを設けており、前記スライダを下向きに摺動することにより、前記エジェクタを前記保持空間の内部に進入させるように構成して成る点にある。
【００１０】
好ましい実施形態において、前記ハンドル部は、上下方向に延びる装入通路を形成し、該装入通路に前記スライダを摺動自在に装入しており、前記スライダを上向きに摺動することにより前記エジェクタを保持空間に臨ませた格納姿勢と、前記スライダを下向きに摺動することにより前記エジェクタを保持空間に進入させた押出姿勢に関して、前記ハンドル部とスライダの相互に、前記格納姿勢とされたスライダを保持する保持手段と、前記押出姿勢とされたスライダの下動を阻止するストッパ手段を設けている。
【００１１】
第１刃板部と第２刃板部の少なくとも一方は、側縁部を波形としたコテを構成することが好ましい。
【考案の効果】
【００１２】
本考案によれば、第１刃板部４及び第２刃板部５により、バター等の固形乳製品Ｄのコーナ部をＬ形に切断し、簡単容易に直方体形状のカット片Ｄｄとして分離することができる。そして、該カット片Ｄｄを両刃板部の間の保持空間６に保持させたままトーストやパン等の食材の表面に移動させた後、スライダ２を格納姿勢Ｐ１から押出姿勢Ｐ２に摺動させるだけのワンタッチの作業で、カット片Ｄｄを食材の表面に向けて好適に落下させることができるという効果がある。
【図面の簡単な説明】
【００１３】
【図１】本考案の実施形態に係るカッターに関して、（Ａ）はスライダを格納姿勢とした状態の斜視図、（Ｂ）はスライダを押出姿勢とした状態の斜視図、（Ｃ）はＡ−Ａ断面図である。
【図２】ハンドル部とスライダの分解状態を正面側から示す斜視図である。
【図３】ハンドル部とスライダの分解状態を背面側から示す斜視図である。
【図４】作用に関して、バターのコーナ部にカッターの第１刃板部と第２刃板部を食い込ませた状態を示す斜視図である。
【図５】作用に関して、バターの切断分離されたカット片を第１刃板部と第２刃板部に付着させた状態でカッターを持ち上げた状態を示す斜視図である。
【図６】作用に関して、スライダの摺動によりカット片がエジェクタにより落下させられた状態を示す斜視図である。
【図７】作用に関して、第１刃板部により構成されたコテの使用例を示す斜視図である。
【考案を実施するための形態】
【００１４】
以下図面に基づいて本考案の好ましい実施形態を詳述する。本考案のカッターは、直方体形状とされたブロック状ないし塊状の固形乳製品のコーナ部を切り取るために使用されるものであり、固形乳製品には、バターやチーズ等が含まれるが、以下は、バターを例として説明する。
【００１５】
図示のように、カッターは、それぞれプラスチックにより成形されたカッター本体１とスライダ２を組み合わせて結合することにより構成されている。
【００１６】
カッター本体１は、ハンドル部３の下端にＬ形に配置された第１刃板部４と第２刃板部５を設けている。
【００１７】
図４及び図５に示すように、カッターにより切断されるバターＤのコーナ部は、相互に直交するＸ方向とＹ方向に関して、Ｘ方向に沿う第１側面ｄ１とＹ方向に沿う第２側面ｄ２を交差させている。
【００１８】
そこで、前記第１刃板部４は、Ｘ方向、つまり、第１側面ｄ１と平行に配置され、前記第２刃板部５は、Ｙ方向、つまり、第２側面ｄ２と平行に配置されるように設けられており、両刃板部４、５の間に保持空間６を形成している。
【００１９】
第１刃板部４は、第２刃板部６からＸ方向に離間する複数箇所（図例では３箇所）に目盛７を設けることが好ましい。また、第１刃板部４と第２刃板部５の少なくとも一方、図示実施形態の場合、第１刃板部４は、側縁部を波形とした波形縁８を設けることにより、コテ（鏝）９を構成することが好ましい。
【００２０】
図１ないし図３に示すように、前記スライダ２は、カッター本体１のハンドル部３の上下方向（長手方向）に延びる装入通路１０に摺動自在に装入され、下端に前記保持空間６に臨むエジェクタ１１を設けている。この際、エジェクタ１１は、図示のような板状に形成されていることが好ましく、後述のように第１刃板部４と第２刃板部５をバターＢのコーナ部に食い込ませたとき、該コーナ部の表面に面接触する広い板面を備えていることが好ましい。
【００２１】
スライダ２及びエジェクタ１１は、スライダ２を上向きに摺動してエジェクタ１１を保持空間６に臨ませた状態（図１（Ａ）参照）が格納姿勢Ｐ１とされ、スライダ２を下向きに摺動してエジェクタ１１を保持空間６に進入させた状態（図１（Ｂ）参照）が押出姿勢Ｐ２とされる。
【００２２】
前記装入通路１０は、ハンドル３を構成する一対の長尺板部３ａ、３ａの間に形成されており、該長尺板部３ａ、３ａは、上端部が連結されている。これにより、装入通路１０は、上端が閉鎖され、下端が保持空間６に連通するように開口されている。
【００２３】
長手方向の中途部に位置して前記長尺板部３ａ、３ａを背面側から連結する架設板１２が設けられ、該架設板１２の正面側に位置して前記装入通路１０が上下方向に延設されており、架設板１２の正面側には長尺板部３ａ、３ａの対向面に臨んでストッパ手段１３を構成する突起１４が設けられている。
【００２４】
装入通路１０の両側、つまり、長尺板部３ａ、３ａの対向面には、架設板１２の上方に位置する上側リブ１５ａと、下方に位置する下側リブ１５ｂが設けられている。下側リブ１５ｂの下端近傍部には、保持手段１６を構成する凹部１７が形成されている。
【００２５】
これに対して、スライダ２は、前記上側リブ１５ａに摺動自在に係止する上側爪部１８ａと、前記下側リブ１５ｂに摺動自在に係止する下側爪部１８ｂが設けられており、更に、格納姿勢Ｐ１とされたときに前記凹部１７に嵌合されることにより保持手段１６を構成する突部１９が設けられている。
【００２６】
図２及び図３に示すように、カッター本体１のハンドル部３とスライダ２を分離した状態から、上側爪部１８ａと下側爪部１８ｂをそれぞれ上側リブ１５ａと下側リブ１５ｂに臨ませて、スライダ２を装入通路１０の正面側に押し込むと、上側爪部１８ａと下側爪部１８ｂが撓み変形を介して上側リブ１５ａと下側リブ１５ｂを乗り越えた位置で係止する。これにより、スライダ２は、装入通路１０の内部において上下方向に摺動自在に保持される。
【００２７】
この際、スライダ２の上端近傍部の正面側に突設された指掛け部２ａがハンドル部３の正面側に突出する。
【００２８】
スライダ２を格納姿勢Ｐ１（図１（Ａ）の状態）としたとき、前記突部１９が凹部１７にクリック感を伴って嵌合することにより保持手段１６が構成され、スライダ２を自重で下動しないように保持する。
【００２９】
スライダ２を押出姿勢Ｐ２（図１（Ｂ）の状態）としたとき、上側爪部１８ａが架設板１２の突起１４に係止することによりストッパ手段１３が構成され、スライダ２の下動を阻止する。
【００３０】
以上のように構成されたカッターにより、バターＤのコーナ部を切り取るときの作用を図４ないし図７に示している。
【００３１】
図４に示すように、バターＤのコーナ部の上方から、第１刃板部４及び第２刃板部５をそれぞれ第１側面ｄ１及び第２側面ｄ２と平行に臨ませ、ハンドル部３を把持して下向きに移動させることによりコーナ部に食い込ませる。この際、所望の目盛７が第２側面ｄ２に臨むように位置決めすることにより、切り取られる小片の大きさを調整することができる。
【００３２】
第１刃板部４及び第２刃板部５の食い込みによりバターＤのコーナ部がＬ形に切断され、切断分離された直方体形状のカット片Ｄｄが保持空間６に保持されるので、図５に示すように、ハンドル部３を把持した状態でカッターを持ち上げると、カット片Ｄｄは第１刃板部４及び第２刃板部５に付着したまま追従して持ち上げられる。
【００３３】
そこで、カッターを移動することにより付着したカット片Ｄｄを食材の所望箇所、例えば、トーストやパン等の食材の表面に臨ませ、スライダ２を押出姿勢Ｐ２に向けて摺動すると、カット片Ｄｄは、エジェクタ１１により押動されることにより保持空間６から落下し、所望箇所に載せられる。
【００３４】
食材の所望箇所に載せられたカット片Ｄｄは、ハンドル部３を把持した状態で第１刃板部４により構成されたコテ（鏝）９により引き伸ばしながら、食材の表面に広がるように塗り付けることができる。
【符号の説明】
【００３５】
Ｄ  バター（固形乳製品）
ｄ１  第１側面
ｄ２  第２側面
１  カッター本体
２  スライダ
２ａ  指掛け部
３  ハンドル部
３ａ  長尺板部
４  第１刃板部
５  第２刃板部
６  保持空間
７  目盛
８  波形縁
９  コテ（鏝）
１０  装入通路
１１  エジェクタ
１２  架設板
１３  ストッパ手段
１４  突起
１５ａ  上側リブ
１５ｂ  下側リブ
１６  保持手段
１７  凹部
１８ａ  上側爪部
１８ｂ  下側爪部
１９  突部
【図１】
0003234356.tif 000003
【図２】
0003234356.tif 000004
【図３】
0003234356.tif 000005
【図４】
0003234356.tif 000006
【図５】
0003234356.tif 000007
【図６】
0003234356.tif 000008
【図７】
0003234356.tif 000009